(57)【要約】【課題】７００℃以下の低温において、カーボンナノチューブを低コストかつ高収率で製造する。【解決手段】触媒成分としてニッケル及びマグネシウムを含み、その触媒成分がシリカ担体に担持されている触媒を用い、７００℃以下の反応温度で炭化水素ガスを原料としてカーボンナノチューブを製造する。【選択図】図１０
2010131487.tif 000002
【特許請求の範囲】
【請求項１】
炭化水素ガスを原料としてカーボンナノチューブを製造するための触媒であって、
触媒成分としてニッケル及びマグネシウムを含み、
該触媒成分はシリカ担体に担持されており、かつ
ニッケル対マグネシウムの重量比ｘ（Ｍｇ／Ｎｉ（ｗｔ比））が、０＜ｘ＜０.２であることを特徴とする触媒。
【請求項２】
ニッケル対マグネシウムの重量比ｘ（Ｍｇ／Ｎｉ（ｗｔ比））が、０＜ｘ＜０.１である請求項１に記載の触媒。
【請求項３】
請求項１又は２に記載の触媒を使用し、
７００℃以下の反応温度下で、炭化水素ガスを原料ガスとして前記触媒に接触させるカーボンナノチューブの製造方法。
【請求項４】
前記炭化水素ガスはメタン、又はメタンを主成分とする混合ガスである請求項３に記載の製造方法。
【請求項５】
前記反応温度は５５０℃から７００℃の範囲である請求項３又は４に記載の製造方法。
【請求項６】
請求項１又は２に記載の触媒を製造する方法であって、
ニッケル塩水溶液にシリカ微粒子が懸濁した水溶液に超音波振動を与えて該溶液の液滴からなる霧を発生させる霧化工程と、
発生した前記液滴を酸化性雰囲気中で加熱処理して複合微粒子とする造粒工程と、
生成した複合微粒子にマグネシウム塩溶液を含浸させるマグネシウム添加工程と、
マグネシウム添加した複合微粒子を乾燥させた後に焼成する焼成工程と、
を含む触媒製造方法。
【請求項７】
請求項１又は２に記載の触媒を製造する方法であって、
ニッケル塩とマグネシウム塩の水溶液にシリカ微粒子が懸濁した水溶液に超音波振動を与えて該溶液の液滴からなる霧を発生させる霧化工程と、
発生した前記液滴を酸化性雰囲気中で加熱処理して複合微粒子とする造粒工程と、
生成した前記複合微粒子を焼成する焼成工程と、
を含む触媒製造方法。
【発明の詳細な説明】
【技術分野】
【０００１】
本発明はカーボンナノチューブ（ＣＮＴ）を製造するための触媒、その触媒を用いたカーボンナノチューブの製造方法、及びその触媒の製造方法に関するものである。
【背景技術】
【０００２】
カーボンナノチューブは高い機械強度及び導電性などの特性により、産業への応用が期待されているが、高価であることが普及へのひとつのハードルとなっている。
【０００３】
カーボンナノチューブの一般的製法としては、アーク放電、レーザアブレーション法及びＣＶＤ法がある。前２者はナノチューブの炭素源としてグラファイトを蒸発させているのに対し、ＣＶＤ法ではメタンや一酸化炭素、アルコールなどの分子を利用している点で大きく異なる。大量合成という観点からは、炭素原料を連続的に供給できるＣＶＤ法が有利である（非特許文献１参照。）が、さらなるコスト削減が望まれている。
【０００４】
ＣＶＤ法による合成の原料ガスとしては、エチレン、アセチレン及びベンゼンなどが多く用いられるが、これらは有機化合物の合成原料でもあるため高価となる。一方、メタンは天然ガスの主成分であり、工業ガスとしても大量に流通していることから、安価に入手でき、カーボンナノチューブ原料として適しているが、メタンを原料ガスとしてカーボンナノチューブを製造する実用的な方法は確立されていない。
【０００５】
ＣＶＤ法によるカーボンナノチューブの製造方法としては、液体状の炭化水素中に溶解するメタロセンやカルボニル化合物を触媒前駆体化合物として使用し、この触媒前駆体化合物が溶解した炭化水素を加熱帯域に供給することにより、触媒と炭化水素を高温で接触させる方法があるが、１０００℃程度の高温を要するため、投入エネルギーが大きくなり、コスト高につながる。
【０００６】
ＣＶＤ法によるもうひとつの製造方法は、触媒を用いる方法である。触媒はアルミナや黒鉛からなる担体に担持して加熱帯域に置き、気相から供給する炭化水素ガスと接触させる。この方法によると１０００℃以下の比較的低温でカーボンナノチューブを生成することが可能である。しかし、この方法の一例では、原料ガスとしてエチレン、アセチレン及びベンゼンなどの不飽和炭化水素ガスが使用されている。例えば、原料としてベンゼンを用いると、４００から５２０℃の低温でもカーボンナノチューブを生成することができる（特許文献１参照。）。しかし、これらの不飽和炭化水素ガスは合成原料ガスであって高価であるため、製造コストが高くなることは避けられない。
【０００７】
炭化水素の中ではメタンが資源豊富で安価に入手可能であり、また例えばメタンを主成分とする天然ガスを原料ガスとして使用することができれば原料ガスの加工が不要なためさらに安価になる。
【０００８】
メタン分解カーボン生成触媒としてＭｇＯに担持した遷移金属８種（Ｆｅ，Ｃｏ，Ｎｉ，Ｒｕ，Ｒｈ，Ｐｄ，Ｉｒ，Ｐｔ）を、反応温度６００から１０００℃の範囲で性能を比べた報告がなされている（非特許文献２参照。）。その結果によれば、Ｐｄ、Ｉｒ、Ｐｔ、Ｒｈ及びＲｕの貴金属系触媒が鉄族触媒に比べてカーボンナノチューブ収率が高くなる傾向がみられるが、貴金属触媒の使用はカーボンナノチューブ製造コスト上昇につながる。
【非特許文献１】工業材料、2003年1月号（Vol.51, No.1）p.34-37
【非特許文献２】第９６回触媒討論会Ａ（平成17年9月）予稿集３１３頁
【特許文献１】特開２００４−７４０６２号公報
【発明の開示】
【発明が解決しようとする課題】
【０００９】
本発明の目的は、７００℃以下の低温において、カーボンナノチューブを低コストかつ高収率で製造することである。
【課題を解決するための手段】
【００１０】
本発明の触媒は、炭化水素ガスを原料としてカーボンナノチューブを製造するための触媒であって、触媒成分としてニッケル（Ｎｉ）及びマグネシウム（Ｍｇ）を含み、その触媒成分がシリカ（ＳｉＯ2）担体に担持されているものである。触媒成分のうち、ニッケルは触媒活性成分、マグネシウムは助触媒成分として作用する。
【００１１】
触媒中のニッケルとマグネシウムは金属自体、酸化物及びその他の化合物を含む。触媒中のニッケルは、カーボンナノチューブを製造するための反応に供する前の状態が酸化物であっても、還元性ガス（水素又はメタンなど）との接触により還元されて金属成分も生成することが分析により確認されており、これが触媒活性を示す。したがって本発明の触媒は、触媒成分が酸化物その他の化合物の状態のままカーボンナノチューブを製造するための反応に供してもよいし、あるいは予備還元などによりあらかじめ金属の状態にしてからカーボンナノチューブを製造するための反応に供するようにしてもよい。
【００１２】
ニッケルは微粒子であることが好ましい。ここでいう微粒子とは粒径が８０ｎｍ未満であることを意味する。
【００１３】
触媒成分においてニッケルに対するマグネシウムの添加量には好ましい範囲が存在する。その一例は、ニッケル対マグネシウムの重量比ｘ（Ｍｇ／Ｎｉ（ｗｔ比））が０＜ｘ＜０.２であり、好ましくは０＜ｘ＜０.１である。
【００１４】
マグネシウムの添加効果は少量加えることにより発現する。例えば、Ｍｇ／Ｎｉ＝０.０１も加えれば十分効果を確認できる。しかし、マグネシウムの添加量が少なすぎるとカーボンナノチューブ収率の増加の絶対値が小さすぎて効果の確認が困難となる。シリカ及びニッケルを含んでいてもマグネシウムを全く添加しない触媒では本発明の効果は発現されない。
【００１５】
一方、マグネシウムの含有量が過剰になると、触媒活性成分であるニッケルの働きを阻害し、カーボンナノチューブ収率が減少する結果となる。
【００１６】
担体シリカの種類は限定されるものではなく、例えば市販のシリカ粒子のほか、噴霧熱分解法やストーバー法等で調製したシリカ粒子も用いることができる。
【００１７】
本発明のカーボンナノチューブ製造方法は触媒化学気相成長法（ＣＣＶＤ法）と呼ばれる方法に属する。具体的には、本発明の触媒を使用し、７００℃以下の反応温度下で、炭化水素ガスを原料ガスとして触媒に接触させることによりカーボンナノチューブを製造する方法である。
【００１８】
好ましい反応温度は５５０℃から７００℃の範囲である。
【００１９】
原料炭化水素ガスは、特に限定されるものではなく、メタン、エタン、プロパンなどを選択することができるが、原料が低コストであるほど好ましいことは言うまでもない。原料炭化水素ガスの好ましい例は、メタンのみ、又はメタンを主成分とする他の炭化水素ガスとの混合ガスである。そのような混合ガスとして製造コストの点から最も好ましいのは天然ガスである。
【００２０】
カーボンナノチューブ製造方法を実施する反応装置は特に限定されるものではなく、例えば、縦型流通管式反応装置、横型炉、流動床反応装置及び移動床反応装置などのうちから選択することができる。
【００２１】
本発明の触媒は含浸法、噴霧熱分解法又はその他の方法により製造したものを含んでいる。本発明の触媒製造方法は、そのうちの１つである噴霧熱分解法である。噴霧熱分解法は、原料を投入した液体を噴霧して微小液滴を作り、高温の反応雰囲気中に導入することによって液滴から水分を蒸発させるとともに、液滴中の原料成分を周囲ガスと反応させるか熱分解させることによって種々の化合物等の粒子を得る方法である。この方法によれば、原料の仕込み濃度などにより広範囲の組成の複合酸化物を容易に一段合成できるという特徴及び球状粒子を合成できるという特徴を活かして、カーボンナノチューブ収率の高い触媒を製造することが可能となる。
【００２２】
噴霧熱分解法を適用する第１の形態は、ニッケルとシリカの調製に噴霧熱分解法を適用し、その後にマグネシウムを含浸法により調製する方法である。その第１の形態の触媒製造方法は、ニッケル塩水溶液にシリカ微粒子が懸濁した水溶液に超音波振動を与えて該溶液の液滴からなる霧を発生させる霧化工程と、発生した液滴を酸化性雰囲気中で加熱処理して複合微粒子とする造粒工程と、生成した複合微粒子にマグネシウム塩溶液を含浸させるマグネシウム添加工程と、マグネシウム添加した複合微粒子を乾燥させた後に焼成する焼成工程とを含んでいる。酸化性雰囲気は、空気、酸素、酸素含有ガスなどによる酸化性ガスによる雰囲気を意味する。
【００２３】
噴霧熱分解法を適用する第２の形態は、ニッケル、マグネシウム及びシリカの調製に噴霧熱分解法を適用する方法である。その第２の形態の触媒製造方法は、ニッケル塩とマグネシウム塩の水溶液にシリカ微粒子が懸濁した水溶液に超音波振動を与えて該懸濁液の液滴からなる霧を発生させる霧化工程と、発生した前記液滴を酸化性雰囲気中で加熱処理して複合微粒子とする造粒工程と、生成した前記複合微粒子を焼成する焼成工程とを含んでいる。
【発明の効果】
【００２４】
本発明の触媒を用いた製造方法によれば、７００℃以下の低温の反応温度においても、カーボンナノチューブの質を維持しつつ高い収率で低コストに得ることが可能となる。
【発明を実施するための最良の形態】
【００２５】
（実施例１）
触媒はシリカを担体としてニッケルとマグネシウムを担持したＮｉ−Ｍｇ／ＳｉＯ2触媒である。
【００２６】
実施例１の触媒は含浸法により調製した。具体的には、硝酸ニッケルと硝酸マグネシウムのアセトン溶液に、ニッケルの担持量が１０重量％となるように市販のシリカ粒子（ＡＥＲＯＳＩＬョ１３０）を加えて、含浸させた後、これを乾燥後、空気中で４００℃で焼成してＮｉ−Ｍｇ／ＳｉＯ2触媒を得た。
【００２７】
ニッケルに対するマグネシウム添加重量比（Ｍｇ／Ｎｉ（ｗｔ比））を表１のように変えた。マグネシウム添加重量比が０のものは後述の比較例１である。
【００２８】
2010131487.tif 000003
【００２９】
使用したシリカ粒子は比表面積が１３０ｍ2／ｇ、平均粒径が１６ｎｍで、５〜２５ｎｍの範囲に粒径分布をもっている。
【００３０】
得られた触媒のうち、一例としてＭｇ／Ｎｉ＝０.０５の触媒の走査型電子顕微鏡（ＳＴＥＭ）の一種のＨＡＡＤＦ（High-Angle-Annular-Dark-Field）−ＳＴＥＭによる画像を図１に示す。不定形の白い部分がＮｉＯであり、大きさは１〜８０ｎｍである。うすいグレーの部分はシリカであり、その平均一次粒径は１６ｎｍである。
【００３１】
この画像をさらに拡大したものを図２に示す。その画像中の枠内の白い部分の元素分析をすると、ニッケルとマグネシウムがともに検出された。
【００３２】
（１Ａ：メタンガスによるカーボンナノチューブの製造）
得られた実施例１の触媒を用いて、固定床流通反応装置にて、メタンのみからなる原料ガスを用いてメタン分解試験を行った。内径１０ｍｍの石英反応管中央部の石英フィルターに石英ウールを設置し、その上に触媒１０ｍｇを置いた。３０ｍＬ／ｍｉｎのアルゴン（Ａｒ）気流中１０℃／ｍｉｎで反応温度（６５０℃）まで昇温し、メタン１０ｍＬ／ｍｉｎに切り替えて、温度一定でメタンを分解した。生成ガスをガスクロマトグラフィーで分析し、生成ガス中の水素が一定濃度以下に達したらメタンを停止し、アルゴン流通下（３０ｍＬ／ｍｉｎ）常温まで降温した。試験終了後重量測定することにより、カーボン生成量を求めた。
【００３３】
このときのカーボンナノチューブ収率を図３に示す。この結果によれば、ニッケルに対するマグネシウム添加重量比（Ｍｇ／Ｎｉ（ｗｔ比））が０〜０.１の範囲で、より明確には０.０２５〜０.０７５の範囲において、マグネシウムの添加によるカーボンナノチューブ収率の増加効果を確認することができる。
【００３４】
生成炭素繊維の一例としてＭｇ／Ｎｉ＝０.０５の触媒を使用して生成したものを取り上げ、その透過型電子顕微鏡（ＴＥＭ）による画像を図４と図５に示す。図５は倍率を上げて炭素繊維の先端部を撮影したものである。先端の黒い物体は触媒のニッケル微粒子であり、炭素繊維はニッケル微粒子から成長していることが確認できる。そして、炭素繊維は中空状であり、カーボンナノチューブが生成していることが確認できる。
【００３５】
この生成炭素繊維について、生成炭素のラマンスペクトルから求めたＩG／ＩDを表２に示す。
【００３６】
2010131487.tif 000004
【００３７】
ＩG／ＩDについて詳しく説明すると、次のとおりとなる。結晶性の高いグラファイトでは１５８５ｃｍ-1付近に１本のラマンバンドが観測される。結晶性が低下するにつれて１３５５ｃｍ-1付近に新たなラマンバンドが現れ、試料中の未組織炭素量の増加とともに相対強度が増大することが知られている。１５８５ｃｍ-1付近のバンドの強度をＩG、１３５５ｃｍ-1付近のバンド強度をＩDとしたとき、これらの相対強度比ＩG／ＩDは、グラファイト構造の乱れを反映する指標として用いられており、この値が小さくなるほどグラファイト構造の欠陥が多いことを示している。
【００３８】
実施例１の表２に示したものと比較例１以外の生成炭素繊維についても同様な結果が得られており、ＩG／ＩDの数値はほとんど同じである。このことから、これらの実施例及び比較例により得られた炭素繊維は、繊維の成長軸に対してグラファイト層がほぼ平行に配列したカーボンナノチューブであることが確認できる。
【００３９】
（１Ｂ：メタンを主成分とする混合ガスによるカーボンナノチューブの製造）
触媒として、ニッケルに対するマグネシウム添加重量比（Ｍｇ／Ｎｉ（ｗｔ比））が０（比較例１に相当）、０.０２５、０.０５及び０.２のものを用い、原料ガスとしてメタンに代えてメタンを主成分とする混合ガスを用い、（１Ａ）のメタンガスによるカーボンナノチューブの製造の実施例と同じ条件でカーボンナノチューブを製造した。
【００４０】
原料ガスであるメタン混合ガスの組成は、天然ガスを模したものであり、メタン８８％、エタン７％、プロパン３％、ｎ−ブタン１％、ｉｓｏ−ブタン１％であった。
【００４１】
このときのカーボンナノチューブ収率を図６に示す。この結果から、原料ガスがメタンを主成分とする混合ガスの場合もニッケルに対するマグネシウム添加重量比（Ｍｇ／Ｎｉ（ｗｔ比））が０〜０.１程度の範囲でマグネシウムの添加によるカーボンナノチューブ収率の増加効果を確認することかできる。
【００４２】
このメタン混合ガスを原料ガスとして生成された炭素繊維もメタンガスを原料ガスとして生成された炭素繊維と同様のカーボンナノチューブであった。
【００４３】
（実施例２）
実施例２の触媒もシリカを担体としてニッケルとマグネシウムを担持したＮｉ−Ｍｇ／ＳｉＯ2触媒であるが、実施例１の触媒とは製造方法が異なる。
【００４４】
実施例２の触媒は噴霧熱分解法により調製した。噴霧熱分解法自体は触媒調製方法としては既知のものであるが、特に本発明のカーボンナノチューブ製造用触媒の製造方法として適用すればカーボンナノチューブ製造に対する触媒活性が高まることがわかった。以下に詳述する。
【００４５】
噴霧熱分解法は、原料溶液を霧状にし、これを酸化性雰囲気中で熱処理することで触媒微粒子を製造する。この実施例の触媒製造方法で使用した製造装置を図７に示す。図７に示したのは実験装置の段階のものであり、工業的な製造装置として実現する場合には製造規模や量産性を考慮して変更されることになるのは明らかである。
【００４６】
噴霧装置２は底部に圧電セラミックスからなる超音波振動子４（振動周波数は例えば１.７ＭＨｚ）が装着されている。噴霧装置２内に、ニッケル塩水溶液にシリカ微粒子が懸濁した水溶液６を収容した状態で超音波振動子４を作動させると水溶液６の液滴からなる霧が発生する。噴霧装置２の上部には酸化性雰囲気を作るキャリアーガスとして空気を噴霧装置２内に供給するキャリアーガス入口８が設けられ、噴霧装置２の側方には水溶液６の液滴からなる霧をキャリアーガスによって反応管１２に噴霧する噴霧口１０が設けられている。
【００４７】
反応管１２は石英製で円筒状をなしており、反応管１２の周面には軸方向に沿って加熱炉１４−１〜１４−４が設けられている。加熱炉１４−１〜１４−４は噴霧装置２から噴霧された液滴の流れの上流側から下流側に向かって温度が順次高くなるように４段階に分割されている。それらの加熱炉１４−１〜１４−４の設定温度の一例として、２００℃、４００℃、６００℃及び８００℃とした。
【００４８】
反応管１２の最下流の出口には生成した粒子を捕集するためにフィルター１６を備えた粒子捕集器１８が設けられている。粒子はフィルター１６に捕集され、フィルター１６を通過したガスはコールドトラップに導かれて、原料のニッケル塩から発生したガス成分が捕集される。
【００４９】
反応管１２の形状は特に円筒状でなくてもよく、角筒状でもよい。図示のように横型でなくてもよく、縦型であってもよい。加熱炉１４−１〜１４−４は赤外線加熱炉、マイクロ波加熱炉、抵抗加熱炉など、いずれのものであってもよい。
【００５０】
噴霧熱分解法による実施例２の触媒製造方法を具体的に示す。
シリカ原料としてＮａｎｏｔｅｋ（シーアイ化成）の微粒子、ＮｉＯ原料には硝酸塩を用い、ＮｉＯ：ＳｉＯ2（ｍｏｌ比）＝４０：６０となるように調整した。図７の噴霧熱分解を用い、その原料水溶液を超音波振動により霧化し、５Ｌ／ｍｉｎの空気気流中、図７の４段階の反応温度に保持した電気炉内に導入した。液滴は加熱により乾燥し、さらに熱分解され、ＮｉＯ−ＳｉＯ2の複合微粒子を得た。
【００５１】
硝酸マグネシウムのアセトン溶液にこのＮｉＯ−ＳｉＯ2複合微粒子粉末を加えて含浸させた後、乾燥させ、空気中で４００℃で焼成してＮｉ−Ｍｇ／ＳｉＯ2触媒を得た。
【００５２】
マグネシウム添加前のＮｉＯ−ＳｉＯ2複合微粒子断面のＨＡＡＤＦ−ＳＴＥＭ画像を図８に、この画像をさらに拡大したものを図９に示す。うすいグレーの部分はシリカであり、凝集前の平均一次粒径は５０ｎｍである。白い部分がＮｉＯであり、ＮｉＯの粒径は１０ｎｍである。
【００５３】
ニッケルに対するマグネシウム添加重量比（Ｍｇ／Ｎｉ（ｗｔ比））を表１のように変えた。マグネシウム添加重量比が０のものは後述の比較例２である。
【００５４】
（２Ａ：メタンガスによるカーボンナノチューブの製造）
得られた触媒を用いて、固定床流通反応装置にて、メタン分解試験を行った。内径１０ｍｍの石英反応管中央部の石英フィルターに石英ウールを設置し、その上に触媒１０ｍｇを置いた。３０ｍＬ／ｍｉｎのアルゴン気流中１０℃／ｍｉｎで反応温度（６５０℃）まで昇温し、メタン１０ｍＬ／ｍｉｎに切り替えて、温度一定でメタンを分解した。生成ガスをガスクロマトグラフィーで分析し、生成ガス中の水素が一定濃度以下に達したらメタンを停止し、アルゴン流通下（３０ｍＬ／ｍｉｎ）常温まで降温した。試験終了後重量測定することにより、カーボン生成量を求めた。
【００５５】
このときのカーボンナノチューブ収率を図１０に示す。この結果によれば、ニッケルに対するマグネシウム添加重量比（Ｍｇ／Ｎｉ（ｗｔ比））が０〜０.２の範囲で、より明確には０.０１〜０.１５の範囲でマグネシウムの添加によるカーボンナノチューブ収率の増加効果を確認することかできる。
【００５６】
生成炭素繊維の一例としてＭｇ／Ｎｉ（ｗｔ比）が０.０２５のものを取り上げ、その透過型電子顕微鏡（ＴＥＭ）による画像を図１１と図１２に示す。図１２は倍率を上げて炭素繊維の先端部を撮影したものである。先端の黒い物体は触媒のニッケル微粒子であり、炭素繊維はニッケル微粒子から成長していることが確認できる。この実施例でも炭素繊維は中空状であり、繊維の成長軸に対してグラファイト層がほぼ平行に配列したカーボンナノチューブであることが確認できる。
【００５７】
図１０に示されたカーボンナノチューブ収率は図３及び図６に示されたカーボンナノチューブ収率の数倍大きい。このことは、含浸法により製造した触媒（実施例１）よりも噴霧熱分解法により製造した触媒（実施例２）の方がカーボンナノチューブ製造に対する触媒活性が高いということができる。
【００５８】
（実施例３）
実施例３の触媒もシリカを担体としてニッケルとマグネシウムを担持したＮｉ−Ｍｇ／ＳｉＯ2触媒であり、実施例２と同様に噴霧熱分解法により製造したものであるが、実施例２とは異なり、一段合成により触媒調製したものである。
【００５９】
噴霧熱分解法による実施例３の触媒製造方法は基本的に実施例２と同様である。
シリカ原料としてＮａｎｏｔｅｋ（シーアイ化成）の微粒子、ＮｉＯ原料とＭｇＯ原料には硝酸塩を用い、Ｎｉ：ＭｇＯ：ＳｉＯ2（ｗｔ比）＝４０：３：５７、４０：１３：４７となるように調整した。図７の噴霧熱分解装置を用い、その原料水溶液を超音波振動により霧化し、５Ｌ／ｍｉｎの空気気流中、図７の４段階の反応温度に保持した電気炉内に導入した。液滴は加熱により乾燥し、さらに熱分解され、ＮｉＯ−ＭｇＯ−ＳｉＯ2の複合微粒子を得た。これを空気中８００℃で焼成してＮｉ−Ｍｇ／ＳｉＯ2触媒を得た。
【００６０】
ニッケルに対するマグネシウム添加重量比（Ｍｇ／Ｎｉ（ｗｔ比））は表１のようになる。マグネシウム添加重量比が０のものは後述の比較例２である。
【００６１】
（３Ａ：メタンガスによるカーボンナノチューブの製造）
得られた触媒を用いて、固定床流通反応装置にて、メタン分解試験を行った。内径１０ｍｍの石英反応管中央部の石英フィルターに石英ウールを設置し、その上に触媒１０ｍｇを置いた。３０ｍＬ／ｍｉｎのアルゴン気流中１０℃／ｍｉｎで反応温度（６５０℃）まで昇温し、メタン１０ｍＬ／ｍｉｎに切り替えて、温度一定でメタンを分解した。生成ガスをガスクロマトグラフィーで分析し、生成ガス中の水素が一定濃度以下に達したらメタンを停止し、アルゴン流通下（３０ｍＬ／ｍｉｎ）常温まで降温した。試験終了後重量測定することにより、カーボン生成量を求めた。
【００６２】
このときのカーボンナノチューブ収率を図１３に示す。この結果によれば、ニッケルに対するマグネシウム添加重量比（Ｍｇ／Ｎｉ（ｗｔ比））が０〜０.１の範囲でマグネシウムの添加によるカーボンナノチューブ収率の増加効果を確認することかできる。
【００６３】
（比較例１）
実施例１（含浸法によるＮｉ−Ｍｇ／ＳｉＯ2触媒）に対する比較例１として、Ｍｇを添加しない触媒を挙げることができる。図３及び図６の結果から、比較例１の触媒はマグネシウムをＭｇ／Ｎｉ＝０.０２５−０.０７５の範囲で添加したものよりもカーボンナノチューブ収率が低い。
【００６４】
（比較例２）
実施例２（噴霧熱分解法によるＮｉ−Ｍｇ／ＳｉＯ2触媒）に対する比較例２として、Ｍｇを添加しない触媒を挙げることができる。図１０の結果から、比較例２の触媒はマグネシウムをＭｇ／Ｎｉ＝０.０１−０.１５の範囲で添加したものよりもカーボンナノチューブ収率が低い。
【００６５】
（比較例３）
比較例３として、担体をアルミナ（Ａｌ2Ｏ3）とし含浸法により調製したＮｉ−Ｍｇ／Ａｌ2Ｏ3触媒を取りあげる。
【００６６】
硝酸ニッケルと硝酸マグネシウムのアセトン溶液に、Ｎｉの担持量が１０重量％となるように市販のアルミナ粒子（ｎａｎｏｐｈａｓｅ社製）を加えて、含浸させた後、これを乾燥後、空気中で４００℃で焼成してＮｉ−Ｍｇ／Ａｌ2Ｏ3触媒を得た。
【００６７】
得られた触媒を、常圧固定床流通式反応装置に１０ｍｇ充填し、６５０℃の条件でメタンを１０ｍＬ／ｍｉｎの流量で流通させ、メタンの分解を行った。ガス状生成物の分析にはガスクロマトグラフを用い、反応終了後生成物を秤量した。
【００６８】
このときのカーボンナノチューブ収率を図１４に示す。また、触媒のうち、Ｍｇ／Ｎｉ（ｗｔ比）が０.０５のものを用いて生成した炭素の透過型電子顕微鏡写真を図１５に示す。図１５に示すように、得られた炭素繊維は繊維の成長軸に対してグラファイト層がほぼ平行に配列したカーボンナノチューブであった。しかしながら、図１４に示すように、マグネシウムを添加するにつれてカーボンナノチューブ収率は単調に低下し、マグネシウム添加によるカーボンナノチューブ収率の増加効果は得られない。
【００６９】
（比較例４）
比較例４として、担体をアルミナ（Ａｌ2Ｏ3）とし噴霧熱分解法により調製したＮｉ−Ｍｇ／Ａｌ2Ｏ3触媒を取りあげる。
【００７０】
ＮｉＯ及びＡｌ2Ｏ3原料には硝酸塩を用い、Ｎｉ：Ａｌ2Ｏ3（ｗｔ％比）＝４０：６０となるように調整した。図７の噴霧熱分解装置を用い、その原料水溶液を超音波振動により霧化し、５Ｌ／ｍｉｎの空気気流中、図７の４段階の反応温度に保持した電気炉内に導入した。液滴は加熱により乾燥し、さらに熱分解され、ＮｉＯ−Ａｌ2Ｏ3の複合微粒子を得た。
【００７１】
硝酸マグネシウムのアセトン溶液にこのＮｉＯ−Ａｌ2Ｏ3複合微粒子粉末を加えて含浸させた後、乾燥させ、空気中で４００℃で焼成してＮｉ−Ｍｇ／Ａｌ2Ｏ3触媒を得た。
【００７２】
得られた触媒を用いて、常圧固定床流通式反応装置にてメタンの分解試験を行った。反応装置では、内径１０ｍｍの石英反応管中央部の石英フィルターに石英ウールを設置し、その上に触媒を１０ｍｇ充填した。３０ｍＬ／ｍｉｎのアルゴン気流中、１０℃／ｍｉｎの速度で反応温度の６５０℃まで昇温した後、流通ガスをメタンに切り替えて１０ｍＬ／ｍｉｎの流量で流通させ、反応温度を一定に保ってメタンの分解反応を行わせた。生成ガスの分析にはガスクロマトグラフを用い、生成ガス中の水素が一定濃度以下に達したら反応が終了したものとしてメタンの供給を停止した。その後、アルゴンを３０ｍＬ／ｍｉｎで流通させて常温まで降温した。反応終了後、重量測定をすることによりカーボン生成量を求めた。
【００７３】
このときのカーボンナノチューブ収率を図１６に示す。しかし、図１６に示すように、マグネシウムを添加するにつれてカーボンナノチューブ収率は単調に低下し、マグネシウム添加によるカーボンナノチューブ収率の増加効果は得られない。
【図面の簡単な説明】
【００７４】
【図１】実施例１の触媒のＨＡＡＤＦ−ＳＴＥＭ画像である。
【図２】同画像の拡大画像である。
【図３】実施例１及び比較例１の触媒を用い原料ガスにメタンガスを用いた場合のカーボンナノチューブ収率を示すグラフである。
【図４】実施例１の触媒を用いて生成したカーボンナノチューブの透過型電子顕微鏡による画像である。
【図５】図４の画像の倍率を上げた画像である。
【図６】実施例１及び比較例１の触媒を用い原料ガスにメタン混合ガスを用いた場合のカーボンナノチューブ収率を示すグラフである。
【図７】実施例２，３の触媒及び比較例２，４の触媒の製造に用いた噴霧熱分解装置を示す概略構成図である。
【図８】実施例２の触媒のマグネシウム添加前のＮｉＯ−ＳｉＯ2複合微粒子のＨＡＡＤＦ−ＳＴＥＭ画像である。
【図９】図８の画像の倍率を上げた画像である。
【図１０】実施例２及び比較例２の触媒を用い原料ガスにメタンガスを用いた場合のカーボンナノチューブ収率を示すグラフである。
【図１１】実施例２の触媒を用いて生成したカーボンナノチューブの透過型電子顕微鏡による画像である。
【図１２】図１１の画像の倍率を上げた画像である。
【図１３】実施例３及び比較例２の触媒を用い原料ガスにメタン混合ガスを用いた場合のカーボンナノチューブ収率を示すグラフである。
【図１４】比較例３の触媒を用い原料ガスにメタン混合ガスを用いた場合のカーボンナノチューブ収率を示すグラフである。
【図１５】比較例３の触媒を用いて生成したカーボンナノチューブの透過型電子顕微鏡による画像である。
【図１６】比較例４の触媒を用い原料ガスにメタンガスを用いた場合のカーボンナノチューブ収率を示すグラフである。
【符号の説明】
【００７５】
２      噴霧装置
４      超音波振動子
８      キャリアーガス入口
１０      噴霧口
１２      反応管
１４−１〜１４−４      加熱炉
１６      フィルター
１８      粒子捕集器
【図３】
2010131487.tif 000005
【図６】
2010131487.tif 000006
【図７】
2010131487.tif 000007
【図１０】
2010131487.tif 000008
【図１３】
2010131487.tif 000009
【図１４】
2010131487.tif 000010
【図１６】
2010131487.tif 000011
【図１】
2010131487.tif 000012
【図２】
2010131487.tif 000013
【図４】
2010131487.tif 000014
【図５】
2010131487.tif 000015
【図８】
2010131487.tif 000016
【図９】
2010131487.tif 000017
【図１１】
2010131487.tif 000018
【図１２】
2010131487.tif 000019
【図１５】
2010131487.tif 000020